(57)【特許請求の範囲】
【請求項１】
第１伝送速度を有し、且つ、ＳＯＮＥＴ／ＳＤＨフレームを伝送する光入力信号を、前記第１伝送速度よりも小さい第２伝送速度を有し、且つ、互いに異なる波長を有する複数の第１光伝送信号に変換し、前記複数の第１光伝送信号を波長多重してＷＤＭ信号を生成する送信部と、
前記ＷＤＭ信号を伝送する光ファイバ伝送路と、
前記ＷＤＭ信号を受信して、前記光入力信号と実質的に同一な光出力信号を生成する受信部
とを具備し、
前記受信部は、
前記ＷＤＭ信号を複数の第２光伝送信号に分離するＷＤＭ部と、
前記複数の第２光伝送信号を、複数の第３電気信号に変換する第２光／電気変換部と、
Ａ１Ａ２バイトを検出することにより、前記複数の第３電気信号によって伝送されるＳＯＮＥＴ／ＳＤＨフレームに同期するタイミングを示す同期信号を生成するフレーム同期部と、
前記複数の第３電気信号によって伝送される前記ＳＯＮＥＴ／ＳＤＨフレームを前記同期信号によって同期を取りながら蓄積し、蓄積された前記ＳＯＮＥＴ／ＳＤＨフレームを複数の第５電気信号として所定のタイミングで出力する記憶部と、
前記複数の第５電気信号によって伝送される前記ＳＯＮＥＴ／ＳＤＨフレームを、前記光入力信号として入力された順序に連結して一の第４電気信号を生成する多重部と、
前記第４電気信号を前記光出力信号に変換する第２電気／光変換部
とを含む
光伝送システム。
【請求項２】
請求項１において、
前記第１伝送速度をｓ１、前記第２伝送速度をｓ２、前記複数の第１光伝送信号の数をｎ（ｎは２以上の自然数）としたとき、
ｎ≧ｓ１／ｓ２である
光伝送システム。
【請求項３】
請求項１において、
前記第１伝送速度をｓ１、前記第２伝送速度をｓ２、前記複数の第１光伝送信号の数をｎ（ｎは２以上の自然数）としたとき、
実質的にｎ＝ｓ１／ｓ２である
光伝送システム。
【請求項４】
請求項１において、
前記送信部は、
前記光入力信号を第１電気信号に変換する光／電気変換部と、
前記第１電気信号を、複数の第２電気信号に変換する分割部と、
前記複数の第２電気信号を、前記複数の第１光伝送信号に変換して前記光ファイバ伝送路に出力する出力部
とを含む
光伝送システム。
【請求項５】
光ファイバ伝送路により入力されるＷＤＭ信号を、互いに異なる波長を有し、且つ、第２伝送速度を有する複数の光伝送信号に分離するＷＤＭ部と、
前記複数の光伝送信号を、複数の第３電気信号に変換する第２光／電気変換部と、
Ａ１Ａ２バイトを検出することにより、前記複数の第３電気信号によって伝送されるＳＯＮＥＴ／ＳＤＨフレームに同期するタイミングを示す同期信号を生成するフレーム同期部と、
前記複数の第３電気信号によって伝送される前記ＳＯＮＥＴ／ＳＤＨフレームを前記同期信号によって同期を取りながら蓄積し、蓄積された前記ＳＯＮＥＴ／ＳＤＨフレームを複数の第５電気信号として所定のタイミングで出力する記憶部と、
前記複数の第５電気信号によって伝送される前記ＳＯＮＥＴ／ＳＤＨフレームを、前記光入力信号として入力された順序に連結して一の第４電気信号を生成する多重部と、
前記第４電気信号を、第１伝送速度を有する光出力信号に変換する第２電気／光変換部
とを具備し、
前記第２伝送速度は、前記第１伝送速度よりも小さい
光伝送システム用受信部。
【請求項６】
請求項５において、
前記第１伝送速度をｓ１、前記第２伝送速度をｓ２、前記複数の光伝送信号の数をｎ（ｎは２以上の自然数）としたとき、
ｎ≧ｓ１／ｓ２である
光伝送システム受信部。
【請求項７】
請求項５において、
前記第１伝送速度をｓ１、前記第２伝送速度をｓ２、前記複数の光伝送信号の数をｎ（ｎは２以上の自然数）としたとき、
実質的に、ｎ＝ｓ１／ｓ２である
光伝送システム用受信部。
【請求項８】
第１伝送速度を有する光入力信号を、第１伝送速度よりも低い第２伝送速度を有し、且つ、互いに異なる波長を有する複数の第１光伝送信号に変換するステップと、
前記複数の第１光伝送信号を波長多重してＷＤＭ信号を生成するステップと、
前記ＷＤＭ信号を光ファイバ伝送路により伝送するステップと、
前記ＷＤＭ信号を複数の第２光伝送信号に分離するステップと、
前記複数の第２光伝送信号を、複数の第３電気信号に変換するステップと、
Ａ１Ａ２バイトを検出することにより、前記複数の第３電気信号のＳＯＮＥＴ／ＳＤＨフレームに同期するタイミングを示す同期信号を生成するステップと、
前記複数の第３電気信号によって伝送される前記ＳＯＮＥＴ／ＳＤＨフレームを前記同期信号によって同期を取りながら記憶部に蓄積し、蓄積された前記ＳＯＮＥＴ／ＳＤＨフレームを複数の第５電気信号として所定のタイミングで出力するステップと、
前記複数の第５電気信号によって伝送される前記ＳＯＮＥＴ／ＳＤＨフレームを、前記光入力信号として入力された順序に連結して一の第４電気信号を生成するステップと、
前記第４電気信号を光出力信号に変換するステップと、
とを具備する
光信号伝送方法。
【請求項９】
請求項８において、
前記第１伝送速度をｓ１、前記第２伝送速度をｓ２、前記複数の第１光伝送信号の数をｎ（ｎは２以上の自然数）としたとき、
ｎ≧ｓ１／ｓ２である
光信号伝送方法。
【請求項１０】
請求項８において、
前記第１伝送速度をｓ１、前記第２伝送速度をｓ２、前記複数の第１光伝送信号の数をｎ（ｎは２以上の自然数）としたとき、
実質的にｎ＝ｓ１／ｓ２である
光信号伝送方法。
【請求項１１】
請求項８において、
前記複数の第１光伝送信号に変換するステップは、
前記光入力信号を、第１電気信号に変換するステップと、
前記第１電気信号を、複数の第２電気信号に変換するステップと、
前記複数の第２電気信号を、前記複数の第１光伝送信号に変換するステップ
とを含む
光信号伝送方法。
【請求項１２】
光ファイバ伝送路からＷＤＭ信号を受信するステップと、
前記ＷＤＭ信号を第２伝送速度を有する複数の光伝送信号に分離するステップと、
前記複数の光伝送信号を、複数の第３電気信号に変換するステップと、
Ａ１Ａ２バイトを検出することにより、前記複数の第３電気信号のＳＯＮＥＴ／ＳＤＨフレームに同期するタイミングを示す同期信号を生成するステップと、
前記複数の第３電気信号によって伝送される前記ＳＯＮＥＴ／ＳＤＨフレームを前記同期信号によって同期を取りながら記憶部に蓄積し、蓄積された前記ＳＯＮＥＴ／ＳＤＨフレームを複数の第５電気信号として所定のタイミングで出力するステップと、
前記複数の第５電気信号によって伝送される前記ＳＯＮＥＴ／ＳＤＨフレームを、前記光入力信号として入力された順序に連結して一の第４電気信号を生成するステップと、
前記第４電気信号を第１伝送速度を有する光出力信号に変換するステップと、
とを具備し、
前記第２伝送速度は、前記第１伝送速度よりも小さい
光信号受信方法。
【発明の詳細な説明】
【０００１】
【発明の属する技術分野】
本発明は、光伝送システム及び光伝送方法に関する。本発明は、特に、波長を多重化して光信号を伝送する光伝送システム及び光伝送方法に関する。
【０００２】
【従来の技術】
多くの情報を伝達するために、互いに異なる波長を有する光信号を一本の光ファイバで通信する光波長多重伝送が行われる。公知のその光波長多重伝送方式が、公開特許公報（特開昭６２−２９２０３０）に知られている。公知のその光波長多重伝送方式は、送信端末１０１１１〜１０１１ｎからのディジタル電気信号１０２１１〜１０２１ｎが、電気−光変換部１０３１に入力される。電気−光変換部１０３１は、ディジタル電気信号１０２１１〜１０２１ｎを、光信号１０４１１〜１０４１ｎに変換する。光信号１０４１１〜１０４１ｎの波長は、それぞれ、λ１１〜λ１ｎである。
【０００３】
光信号１０４１１〜１０４１ｎは、光合成分波器１０５で光伝送信号に合成される。その光伝送信号は、光ファイバ１０６により伝送される。その光伝送信号は、光合成分波器１０７により、光信号１０８１１’〜１０８１ｎ’に分離される。光信号１０８１１〜１０８１ｎの波長は、それぞれλ１１〜λ１ｎである。光信号１０８１１〜１０８１ｎは、光−電気変換部１０９１に入力される。光−電気変換部１０９１は、光信号１０８１１〜１０８１ｎを、ディジタル電気信号１１０１１〜１１０１ｎに変換する。ディジタル信号１１０１１〜１１０１ｎは、受信端末１１１１１〜１１１１ｎに到着する。
【０００４】
送信端末１０１２１〜１０１２ｎからのディジタル電気信号１０２２１〜１０２２ｎも、同様にして受信端末１１１２１〜１１１２ｎに到着する。
【０００５】
光信号が光ファイバにより伝送される際には、外乱による影響を受ける。光信号が光ファイバにより伝送される際、光ファイバにおいて発生する光減衰、光の分散現象及び非線型光学効果は、光信号を劣化する外乱となる。更に、これら以外の要因も外乱となり得る。
【０００６】
光伝送システムは、外乱に対する耐性が高いことが望まれる。
【０００７】
更に、光伝送システムは、伝送距離が大きいことが望まれる。
【０００８】
【発明が解決しようとする課題】
本発明の課題は、外乱に対する耐性が高い光伝送システムを提供することにある。
【０００９】
本発明の他の課題は、伝送距離が大きい光伝送システムを提供することにある。
【００１０】
【課題を解決するための手段】
その課題を解決するための手段は、下記のように表現される。その表現中に現れる技術的事項には、括弧（）つきで、番号、記号等が添記されている。その番号、記号等は、本発明の複数の実施の形態のうちの、少なくとも１つの実施の形態を構成する技術的事項、特に、その実施の形態に対応する図面に表現されている技術的事項に付せられている参照番号、参照記号等に一致している。このような参照番号、参照記号は、請求項記載の技術的事項と実施の形態の技術的事項との対応・橋渡しを明確にしている。このような対応・橋渡しは、請求項記載の技術的事項が実施の形態の技術的事項に限定されて解釈されることを意味しない。
【００１１】
本発明による光伝送システムは、送信部（１、２）と、光ファイバ伝送路（３）と、受信部（４、５）とを具備する。ここで、送信部（１、２）には、第１伝送速度を有する光入力信号（ａ）が入力される。送信部（１、２）は、光入力信号（ａ）を複数の光伝送信号（ｃ１〜ｃ４）に変換する。光ファイバ伝送路（３）は、複数の光伝送信号（ｃ１〜ｃ４）を伝送する。受信部（４、５）は、複数の光伝送信号（ｃ１〜ｃ４）を受信する。このとき、複数の光伝送信号（ｃ１〜ｃ４）の伝送速度は、概ね第２伝送速度である。その第２伝送速度は、第１伝送速度よりも小さい。
【００１２】
光信号は、伝送速度が低いほど、外乱に対する耐性が高い。第２伝送速度が、第１伝送速度よりも小さいことにより、光ファイバ伝送路（３）において複数の光伝送信号（ｃ１〜ｃ４）に生じる外乱に対する耐性が高くなる。更に、外乱に対する耐性が高いことにより、当該光伝送システムは、伝送距離が大きい。
【００１３】
また、当該光伝送システムにおいて、第１伝送速度をｓ１、第２伝送速度をｓ２、複数の光伝送信号（ｃ１〜ｃ４）の数をｎ（ｎは２以上の自然数）としたとき、ｎ≧ｓ１／ｓ２であることが望ましい。光入力信号（ａ）により入力されたデータを、実効的な伝達速度を落とすことなく伝送できる。
【００１４】
また、当該光伝送システムにおいて、第１伝送速度をｓ１、第２伝送速度をｓ２、前記複数の光伝送信号の数をｎ（ｎは２以上の自然数）としたとき、実質的にｎ＝ｓ１／ｓ２であることが望ましい。光入力信号（ａ）を複数の光伝送信号（ｃ１〜ｃ４）に変換するための回路を、必要最小限にすることができる。
【００１５】
また、当該光伝送システムにおいて、複数の光伝送信号（ｃ１〜ｃ４）は、互いに異なる波長（λ１〜λ４）を有することが望ましい。波長多重により、複数の光伝送信号（ｃ１〜ｃ４）を伝送することができる。
【００１６】
また、当該光伝送システムにおいて、送信部（１、２）は、光入力信号（ａ）を第１電気信号（ｆ）に変換する光／電気変換部（６）と、第１電気信号（ｆ）を、複数の第２電気信号（ｈ１〜ｈ４）に変換する分割部（７、８）と、複数の第２電気信号（ｈ１〜ｈ４）を、複数の光伝送信号（ｃ１〜ｃ４）に変換して前記光ファイバ伝送路に出力する出力部（２、９ａ〜９ｄ）とを含むことが望ましい。
【００１７】
この場合、光入力信号（ａ）は、第１電気信号（ｆ）に変換される。その第１電気信号（ｆ）が、複数の第２電気信号（ｈ１〜ｈ４）に変換される。光入力信号（ａ）を直接的に、複数の光伝送信号（ｃ１〜ｃ４）に変換することは、技術的に困難な面がある。一方、電気信号の信号処理は、光信号の信号処理よりも容易である。そこで、光入力信号（ａ）を、一旦電気信号である第１電気信号（ｆ）に変換することにより、光入力信号（ａ）を複数の光伝送信号（ｃ１〜ｃ４）に変換する信号処理が容易になる。
【００１８】
かかる目的から、前記複数の第２電気信号（ｈ１〜ｈ４）の数は、前記複数の光伝送信号（ｃ１〜ｃ４）の数と同じであることが望ましい。
【００１９】
また、当該光伝送システムにおいて、受信部（４、５）は、複数の光伝送信号（ｃ１〜ｃ４）を、光入力信号（ａ）と実質的に同一な光出力信号（ｅ）に変換して出力することがある。当該光伝送システムにより、光入力信号（ａ）が、受信部（４、５）に接続する回路に伝送される。
【００２０】
また、当該光伝送システムにおいて、受信部（４、５）は、複数の光伝送信号（ｃ１〜ｃ４）のそれぞれを複数の第３電気信号（ｉ１〜ｉ４）に変換する第２光／電気変換部（１０ａ〜１０ｄ）と、複数の第３電気信号（ｉ１〜ｉ４）を、一の第４電気信号（ｍ）に変換する多重部（１１〜１３）と、第４電気信号（ｍ）を光出力信号（ｅ）に変換する第２電気／光変換部（１４）とを含むことがある。
【００２１】
複数の光伝送信号（ｃ１〜ｃ４）を、直接的に光出力信号（ｅ）に変換することは、技術的に困難な面がある。複数の光伝送信号（ｃ１〜ｃ４）を、一旦、電気信号である第３電気信号（ｉ１〜ｉ４）に変換して信号処理することにより、複数の光伝送信号（ｃ１〜ｃ４）を、光出力信号（ｅ）に変換する処理が容易になる。
【００２２】
また、当該光伝送システムにおいて、多重部（１１〜１３）は、複数の第３電気信号（ｉ１〜ｉ４）のそれぞれにより伝送されるデータを蓄積し、そのデータを、所定のタイミングで第５電気信号（ｋ１〜ｋ４）として出力する記憶部（１１、１２）と、第５電気信号（ｋ１〜ｋ４）を、第４電気信号（ｍ）に変換する連結部（１３）とを具備することがある。
【００２３】
複数の光伝送信号（ｃ１〜ｃ４）は、微小に伝送速度が異なる場合がある。特に、複数の光伝送信号（ｃ１〜ｃ４）が波長多重により伝送される場合、複数の光伝送信号（ｃ１〜ｃ４）は、微小に伝送速度が異なる。なぜなら、複数の光伝送信号（ｃ１〜ｃ４）の波長が異なるため、光ファイバ伝送路（３）において分散現象が生じるからである。複数の第３電気信号（ｉ１〜ｉ４）のそれぞれにより伝送されるデータを、一旦記憶部（１１、１２）に蓄積し、そのデータを所定のタイミングで出力することにより、光ファイバ伝送路（３）において生じる伝送速度の差を吸収することができる。
【００２４】
【発明の実施の形態】
図面に一致対応して、本発明の一実施の形態は、分割機能部を、波長多重伝送部（以下、「ＷＤＭ部」という。）とともに備えている。その分割機能部１は、図１に示されているように、ＷＤＭ部２に接続する。
【００２５】
分割機能部１には、光入力信号ａが入力される。光入力信号ａは、光信号である。光入力信号ａの伝送速度は、１０（Ｇｂ／ｓ）である。分割機能部１は、光入力信号ａを、４つの光信号ｂ１〜ｂ４に変換する。光信号ｂ１〜ｂ４の伝送速度は、おおむね２．５Ｇｂ／ｓである。なお、複数の分割機能部１が、ＷＤＭ部２に接続することも可能である。図１には、複数の分割機能部１のうちの１つのみが示されている。
【００２６】
ＷＤＭ部２は、２．５Ｇ光信号ｂ１〜ｂ４を波長多重して、ＷＤＭ信号ｃ１〜ｃ４を生成する。ＷＤＭ信号ｃ１、ｃ２、ｃ３、ｃ４の波長は、それぞれλ１、λ２、λ３、λ４である。波長λ１〜λ４は、互いに異なる。ＷＤＭ部２は、ＷＤＭ信号ｃ１〜ｃ４を、光ファイバ３に出力する。光ファイバ３は、ＷＤＭ信号ｃ１〜ｃ４を、ＷＤＭ部４に伝送する。ＷＤＭ信号ｃ１〜ｃ４の伝送速度は、おおむね２．５（Ｇｂ／ｓ）である。
【００２７】
ＷＤＭ部４は、ＷＤＭ信号ｃ１〜ｃ４を、２．５Ｇ光信号ｄ１〜ｄ４に分離する。２．５Ｇ光信号ｄ１〜ｄ４は、それぞれ２．５Ｇ光信号ｂ１〜ｂ４と、実質的に同一である。ＷＤＭ部４は、２．５Ｇ光信号ｄ１〜ｄ４を、多重機能部５に出力する。
【００２８】
多重機能部５は、２．５Ｇ光信号ｄ１〜ｄ４を、一つの光出力信号ｅに統合する。光出力信号ｅは、光入力信号ａと実質的に同一である。このように、分割機能部１に入力された光入力信号ａは、当該光伝送システムにより多重機能部５に伝送され、光出力信号ｅとして出力される。なお、複数の分割機能部１が設けられた場合には、複数の分割機能部１のそれぞれに対応して１つの多重機能部５が設けられる。図１には、複数の分割機能部１のうちの１つのみが示されている。
【００２９】
続いて、分割機能部１の構成が、詳細に説明される。分割機能部１は、１０Ｇ光／電気変換部６を含む。１０Ｇ光／電気変換部６には、光入力信号ａが入力される。光入力信号ａの伝送速度は、１０（Ｇｂ／ｓ）である。光入力信号ａは、複数のＳＯＮＥＴ／ＳＤＨフレームを、順次伝送する。それぞれのＳＯＮＥＴ／ＳＤＨフレームには、それの先頭を示すＡ１Ａ２バイトが含まれている。
【００３０】
１０Ｇ光／電気変換部６は、光入力信号ａを電気信号ｆに変換し、１０Ｇフレーム同期部７に出力する。１０Ｇフレーム同期部７は、入力された電気信号ｆに含まれるＡ１Ａ２バイトを検出し、各ＳＯＮＥＴ／ＳＤＨフレームに同期するタイミングを示す同期信号ｇを生成する。１０Ｇフレーム同期部７は、更に電気信号ｆと実質的に同一な電気信号ｆ’を生成する。１０Ｇフレーム同期部７は、電気信号ｆ’と同期信号ｇを、分割部８に出力する。分割部８は、同期信号ｇに同期して、電気信号ｆ’から各ＳＯＮＥＴ／ＳＤＨフレームを取り出す。
【００３１】
分割部８は、電気信号ｆ’の入力が開始されて以後、最初に入力されたＳＯＮＥＴ／ＳＤＨフレームを、フレーム信号ｈ１として２．５Ｇ電気／光変換部９ａに出力する。分割部８は、次に入力されたＳＯＮＥＴ／ＳＤＨフレームを、フレーム信号ｈ２として２．５Ｇ電気／光変換部９ｂに出力する。分割部８は、その次に入力されたＳＯＮＥＴ／ＳＤＨフレームを、フレーム信号ｈ３として２．５Ｇ電気／光変換部９ｃに出力する。分割部８は、更に次に入力されたＳＯＮＥＴ／ＳＤＨフレームを、フレーム信号ｈ４として２．５Ｇ電気／光変換部９ｄに出力する。
【００３２】
以後、更にＳＯＮＥＴ／ＳＤＨフレームが入力された場合には、そのＳＯＮＥＴ／ＳＤＨフレームは、上記の過程に従って、２．５Ｇ電気／光変換部９ａ〜９ｄに順次出力される。このように、分割部８は、入力されたＳＯＮＥＴ／ＳＤＨフレームを２．５Ｇ電気／光変換部９ａ〜９ｄに順次出力する。
【００３３】
２．５Ｇ電気／光変換部９ａ〜９ｄは、それらに入力されたＳＯＮＥＴ／ＳＤＨフレームを、それぞれ２．５Ｇ光信号ｂ１〜ｂ４に変換する。２．５Ｇ光信号ｂ１〜ｂ４の伝送速度は、いずれも、おおむね２．５（Ｇｂ／ｓ）である。２．５Ｇ電気／光変換部９ａ〜９ｄは、それぞれ２．５Ｇ光信号ｂ１〜ｂ４を、ＷＤＭ部２に出力する。
【００３４】
続いて、多重機能部５の構成が、詳細に説明される。多重機能部５は、２．５Ｇ光／電気変換部１０ａ〜１０ｄを含む。２．５Ｇ光／電気変換部１０ａ〜１０ｄは、それぞれＷＤＭ部４から、２．５Ｇ光信号ｄ１〜ｄ４が入力される。２．５Ｇ光／電気変換部１０ａ〜１０ｄは、それぞれ２．５Ｇ光信号ｄ１〜ｄ４を、それぞれ電気信号ｉ１〜ｉ４に変換する。２．５Ｇ光／電気変換部１０ａ〜１０ｄは、それぞれ電気信号ｉ１〜ｉ４を、２．５Ｇフレーム同期部１１に出力する。
【００３５】
２．５Ｇフレーム同期部１１は、電気信号ｉ１〜ｉ４に含まれるＡ１Ａ２バイトを検出し、電気信号ｉ１〜ｉ４により伝送される各ＳＯＮＥＴ／ＳＤＨフレームに同期するタイミングを示す同期信号ｊを生成する。２．５Ｇフレーム同期部１１は、更に、電気信号ｉ１〜ｉ４に実質的に同一な電気信号ｉ１’〜ｉ４’を生成する。２．５Ｇフレーム同期部１１は、電気信号ｉ１’〜ｉ４’と同期信号ｊとを、ＦＩＦＯ１２に出力する。
【００３６】
ＦＩＦＯ１２は、電気信号ｉ１’〜ｉ４’により伝送される各ＳＯＮＥＴ／ＳＤＨフレームを、同期信号ｊにより同期を取りながら蓄積する。ＦＩＦＯ１２は、各ＳＯＮＥＴ／ＳＤＨフレームを、それが入力された順序で、一定の時間間隔で出力する。
【００３７】
ＦＩＦＯ１２が設けられる理由は、以下のとおりである。前述されたように、光ファイバ３により伝送されるＷＤＭ信号ｃ１〜ｃ４は、互いに異なる波長を有する。ＷＤＭ信号ｃ１〜ｃ４が光ファイバ３を伝送される際に光ファイバ３において発生する遅延時間は、波長に依存して異なる。光ファイバ３において光の分散現象が発生するため、ＷＤＭ信号ｃ１〜ｃ４の伝搬速度は微小に異なるからである。
【００３８】
ＷＤＭ信号ｃ１〜ｃ４の遅延時間の差に対応して、２．５Ｇフレーム同期部１１から出力される電気信号ｉ１’〜ｉ４’も、微小にタイミングがずれることになる。そこで、電気信号ｉ１’〜ｉ４’により伝送される各ＳＯＮＥＴ／ＳＤＨフレームを、一旦、ＦＩＦＯ１２に蓄積し、ＦＩＦＯ１２から一定の時間間隔で出力することにより、ＷＤＭ信号ｃ１〜ｃ４の遅延時間の差を吸収する。
【００３９】
ＦＩＦＯ１２は、電気信号ｉ１’により伝搬されたＳＯＮＥＴ／ＳＤＨフレームを、それが入力された順序で、且つ、一定の時間間隔で、電気信号ｋ１により多重部１３に出力する。同様に、ＦＩＦＯ１２は、電気信号ｉ２’〜ｉ４’により伝搬されたＳＯＮＥＴ／ＳＤＨフレームを、それが入力された順序で、且つ、一定の時間間隔で、電気信号ｋ２〜ｋ４により多重部１３に出力する。
【００４０】
なお、ＦＩＦＯ１２が、ＳＯＮＥＴ／ＳＤＨフレームを出力するタイミングは、一定の時間間隔には限られない。ＦＩＦＯ１２が、ＳＯＮＥＴ／ＳＤＨフレームを出力するタイミングは、ＷＤＭ信号ｃ１〜ｃ４の遅延時間の差を吸収できる所定のタイミングであることが可能である。
【００４１】
多重部１３は、電気信号ｋ１〜ｋ４により伝送された各ＳＯＮＥＴ／ＳＤＨフレームを、光入力信号ａとして入力された順序に連結する。多重部１３は、連結されたＳＯＮＥＴ／ＳＤＨフレームを、一の電気信号ｍにより１０Ｇ電気／光変換部１４に出力する。電気信号ｍの伝送速度は、１０（Ｇｂ／ｓ）である。１０Ｇ電気／光変換部１４は、電気信号ｍを光出力信号ｅに変換して出力する。光出力信号ｅの伝送速度は、前述のとおり、１０（Ｇｂ／ｓ）である。
【００４２】
図２は、本実施の形態の光伝送システムにより、分割機能部１に入力されたＳＯＮＥＴ／ＳＤＨフレーム＃１〜２５が、多重機能部５に伝送される過程を示す。図２は、＃１〜＃４が既に多重機能部５に伝達され、且つ、＃５が多重機能部５に伝達される直前の瞬間の、ＳＯＮＥＴ／ＳＤＨフレーム＃１〜＃２５の状態を示す。
【００４３】
ＳＯＮＥＴ／ＳＤＨフレーム＃１〜＃２５は、その番号が小さい順に分割機能部１に入力される。ＳＯＮＥＴ／ＳＤＨフレーム＃１は、波長がλ１であるＷＤＭ信号ｃ１に変換されて、多重機能部５に伝送される。同様に、ＳＯＮＥＴ／ＳＤＨフレーム＃２〜＃４は、それぞれ波長がλ２〜λ４であるＷＤＭ信号ｃ２〜ｃ４に変換されて多重機能部５に伝送される。
【００４４】
図２は、ＳＯＮＥＴ／ＳＤＨフレーム＃１〜＃４が、ＳＯＮＥＴ／ＳＤＨフレーム＃１、＃２、＃３、＃４の順に、光出力信号ｅとして出力されていることを示している。
【００４５】
一方、ＳＯＮＥＴ／ＳＤＨフレーム＃５、＃９、＃１３、＃１７は、波長がλ１であるＷＤＭ信号ｃ１に変換され、多重機能部５に伝送されつつある。ＳＯＮＥＴ／ＳＤＨフレーム＃６、＃１０、＃１４、＃１８は、波長がλ２であるＷＤＭ信号ｃ２に変換されて、多重機能部５に伝送されつつある。ＳＯＮＥＴ／ＳＤＨフレーム＃７、＃１１、＃１５、＃１９は、波長がλ３であるＷＤＭ信号ｃ２に変換されて、多重機能部５に伝送されつつある。ＳＯＮＥＴ／ＳＤＨフレーム＃５、＃９、＃１３、＃１７は、波長がλ１であるＷＤＭ信号ｃ１に変換されて、多重機能部５に伝送されつつある。
【００４６】
また、図２は、ＳＯＮＥＴ／ＳＤＨフレーム＃２１が、波長がλ１であるＷＤＭ信号ｃ１に変換されつつあることを示している。更に、図２は、ＳＯＮＥＴ／ＳＤＨフレーム＃２２が、波長がλ２であるＷＤＭ信号ｃ２に変換されつつあることを示している。
【００４７】
図２は、ＳＯＮＥＴ／ＳＤＨフレーム＃２２に続いて、ＳＯＮＥＴ／ＳＤＨフレーム＃２３〜２５が、分割機能部１に入力されていることを示している。ＳＯＮＥＴ／ＳＤＨフレーム＃２３、２４、２５は、図２が示す瞬間以降に、それぞれ波長がλ３、λ４、λ１であるＷＤＭ信号ｃ３、ｃ４、ｃ１により伝送される。
【００４８】
以上に示されたように、本実施の形態の光伝送システムの分割機能部１には、ＳＯＮＥＴ／ＳＤＨフレーム＃１〜２５が、光入力信号ａを介して順次入力される。光入力信号ａの伝送速度は、１０Ｇｂ／ｓである。ＳＯＮＥＴ／ＳＤＨフレーム＃（４ｐ１＋１）は、波長λ１であるＷＤＭ信号ｃ１に変換されて、多重機能部５に伝送される。但し、ｐ１は、０以上６以下の整数である。また、ＳＯＮＥＴ／ＳＤＨフレーム＃（４ｐ２＋２）は、波長λ２であるＷＤＭ信号ｃ２に変換されて、多重機能部５に伝送される。但し、ｐ２は、０以上５以下の整数である。
【００４９】
更に、ＳＯＮＥＴ／ＳＤＨフレーム＃（４ｐ３＋３）は、波長λ３であるＷＤＭ信号ｃ３に変換されて、多重機能部５に伝送される。但し、ｐ３は、０以上５以下の整数である。更に、ＳＯＮＥＴ／ＳＤＨフレーム＃（４ｐ４＋４）は、波長λ３であるＷＤＭ信号ｃ４に変換されて、多重機能部５に伝送される。但し、ｐ４は、０以上５以下の整数である。ＷＤＭ信号ｃ１〜ｃ４は、いずれも、伝送速度がおおむね２．５（Ｇｂ／ｓ）である。
【００５０】
多重機能部５は、ＳＯＮＥＴ／ＳＤＨフレーム＃１〜２５を、伝送速度が１０（Ｇｂ／ｓ）である光出力信号ｅとして順次出力する。
【００５１】
なお、本実施の形態において、光入力信号ａの伝送速度は、１０（Ｇｂ／ｓ）に限られない。また、ＷＤＭ信号ｃ１〜ｃ４の伝送速度は、光入力信号ａの伝送速度より低いという条件を満たせば、おおむね２．５（Ｇｂ／ｓ）に限られない。更に、ＷＤＭ信号ｃ１〜ｃ４は、少なくとも複数であれば、その数は、４つに限られない。
【００５２】
但し、光入力信号ａの伝送速度をｓ１、ＷＤＭ信号の伝送速度をｓ２、ＷＤＭ信号の数をｎとした場合、ｎ≧ｓ１／ｓ２であることが望ましい。なぜなら、光入力信号ａにより入力されたデータを、実効的な伝達速度を落とすことなく伝送できるからである。
【００５３】
特に、ｎは、おおむねｓ１／ｓ２に等しいことが望ましい。光入力信号ａをＷＤＭ信号に変換するための回路、及び、ＷＤＭ信号を光出力信号３に変換するための回路を、必要最小限にすることができるからである。
【００５４】
【発明の効果】
本発明により、外乱に対する耐性が高い光伝送システムが提供される。
【００５５】
更に本発明により、伝送距離が大きい光伝送システムが提供される。
【図面の簡単な説明】
【図１】本発明による一実施の形態の光伝送システムの構成を示す図である。
【図２】一実施の形態の光伝送システムにより、ＳＯＮＥＴ／ＳＤＨフレーム＃１〜＃２５が伝送される過程を示す図である。
【図３】従来の波長多重光伝送システムを示す図である。
【符号の説明】
１：分割機能部
２：ＷＤＭ部
３：光ファイバ
４：ＷＤＭ部
５：多重機能部
６：１０Ｇ光／電気変換部
７：１０Ｇフレーム同期部
８：分割部
９：２．５Ｇ電気／光変換部
１０：２．５Ｇ光／電気変換部
１１：２．５Ｇフレーム同期部
１２：ＦＩＦＯ
１３：多重部
【図１】
0003564699.tif 000002
【図２】
0003564699.tif 000003
【図３】
0003564699.tif 000004